(57)【特許請求の範囲】
【請求項１】
圧縮処理された音声ファイル内に圧縮処理された画像データを包含させた圧縮画像データ付音声ファイルを生成する圧縮画像データ付音声ファイル生成装置と直接的または通信による間接的な手段により入力された前記圧縮画像データ付音声ファイルを管理する圧縮画像データ付音声ファイル管理装置であって、
特定ＩＤ情報を有するファイルを認識して該ファイルを入れた特殊フォルダを形成し表示する手段と、
入力された前記圧縮画像データ付音声ファイルを前記表示された特殊フォルダ中においてリネーム処理する手段と、
前記リネーム処理された圧縮画像データ付音声ファイルに基づいて、縮小画像化された音声付きサムネール画像群として閲覧表示する手段と、から構成されている
ことを特徴とする圧縮画像データ付音声ファイル管理装置。
【発明の詳細な説明】
【０００１】
【発明の属する技術分野】
本発明は、電子スチル力メラ等の組み込み機器等とパソコン等とを接続してファイルを閲覧するシステム、またはインターネット等を介して圧縮画像データ付音声ファイルをホームベージ上に閲覧表示するシステムに関する。
【０００２】
【従来の技術】
従来、ファイルフォーマットに関しては、音声ファイルのＤｉｓｐチャンクに非圧縮形式のＤＩＢ（Ｄｅｖｉｃｅ  Ｉｎｄｅｐｅｎｄｅｎｔ  ＢｉｔＭａｐ）を用いて画像データを格納するものが知られている。また、特開平６−６８６５２号公報にはファイルを独自のファイルフォーマットおよびハードウエアで管理するものが知られている。
【０００３】
また、音声ファイルを閲覧、管理するためのファイル管理装置に関しては、音声ファイルと関連性のある縮小ＪＰＥＧ等の圧縮画像ファイルにリンクをかけて閲覧し、そのファイルをクリックすることにより音声ファイルにアクセスし、音を聞くものがある。このような例として、特開平１１−３５５７０６号公報の請求項２１、２２、２３等に上記の手順を説明する技術が記載されており、また、特開平６−１０５２７４号公報の請求項１、２等に上記の手順を説明する技術が記載されており、特開平１０−１４５７２６号公報の請求項１にも上記の手順を説明する技術が記載されている。さらに、下記に示すように、一般的なＨＴＭＬ（Ｈｙｐｅｒ  Ｔｅｘｔ  Ｍａｒｋｕｐ  Ｌａｎｇｕａｇｅ）記述を用いて上記と同様の処理を行わせることが可能である。
【０００４】
＜ｈｔｍｌ＞
＜ｈｅａｄ＞
＜ｔｉｔｌｅ＞Ｌｉｎｋａｇｅ  ｓａｍｐｌｅ＜／ｔｉｔｌｅ
＜／ｈｅａｄ＞
＜ｂｏｄｙ＞
＜ａ  ｈｒｅｆ＝“−−／ｔｅｓｔ．ｗａｖ”＞＜ｉｍｇ  ｓｒｃ＝“−−／ｓｏｕｎｄ．ｊｐｇ”＞＜／ａ＞
＜／ｂｏｄｙ＞
＜／ｈｔｍｌ＞
特に、この記述の＜ａ  ｈｒｅｆ＝“−−／ｔｅｓｔ．ｗａｖ”＞＜ｉｍｇ  ｓｒｃ＝“−−／ｓｏｕｎｄ．ｊｐｇ”＞＜／ａ＞の部分において、音声ファイル“ｔｅｓｔ．ｗａｖ”と縮小ＪＰＥＧ圧縮画像ファイル“ｓｏｕｎｄ．ｊｐｇ”のタグのネステイングによって達成されている。
【０００５】
【発明が解決しようとする課題】
しかしながら、上記のファイルフォーマットに関しては、Ｄｉｓｐチャンク部分にＤＩＢデータを格納するものは、ＤＩＢそのものが非圧縮データ形式であるため、ファイルサイズが大きくなってしまうという問題がある。また、特開平６−６８６５２号公報に記載のものは、独自（業界標準でない）のファイルフォーマットで構成されるとともに、独自のハードウェア、記憶装置が用いられるため、いわゆる一般的なオブジェクトとしてコピー、削除、編集が可能なファイルフォーマット形式になっていないという問題がある。
【０００６】
また、上記の音声ファイルを閲覧するためのファイル閲覧システムに関しては、特開平１１−３５５７０６号公報、特開平１１−３５５７０６号公報、特開平１０−１４５７２６号公報、および上記ＨＴＭＬ記述によるものはともに、物理的に２つのファイルが存在し、仮に、どちらか一方のファイルが何らかの操作や事故によって消されてしまった場合には、それらのファイルがリンクデータベースとして存在しているので、最早それを修復することが困難であるという問題がある。
【０００７】
さらに、システムによってはシステムダウンを起こすことも懸念される。
【０００８】
本発明の目的は、音声データおよび画像データを記憶するファイルのファイルフオーマットを極力縮小化し、縮小化されたファイルを用いることによって、電子スチルカメラやパソコン等の装置、さらにはネットワークにおけるデータ容量の負担を軽減することにある。さらに本発明の他の目的は、音声データおよび画像データに基づいて容易に圧縮画像データ付音声ファイルを生成し、また、生成された圧縮画像データ付音声ファイルから容易に音声付き画像を閲覧表示させることにある。
【０００９】
【課題を解決するための手段】
本発明は、上記の課題を解決するために、次のような手段を提供するものである。
【００１０】
第１の手段は、音声ファイルを、圧縮処理された音声ファイル内に圧縮処理された画像データを包含させた圧縮画像データ付音声ファイルで構成する。
【００１１】
第２の手段は、音声ファイルを生成するために、圧縮処理された音声ファイル内に圧縮処理された画像データを包含させた圧縮画像データ付音声ファイルを生成する装置から構成する。
【００１２】
第３の手段は、前記第２の手段に記載の装置と直接的または通信による間接的な手段により入力された前記圧縮画像データ付音声ファイルを管理する圧縮画像データ付音声ファイル管理装置において、該ファイル管理装置を、特定ＩＤ情報を有するファイルを認識して該ファイルを入れた特殊フォルダを形成し表示する手段と、入力された前記圧縮画像データ付音声ファイルを前記表示された特殊フォルダ中においてリネーム処理する手段と、前記リネーム処理された圧縮画像データ付音声ファイルに基づいて、縮小画像化された音声付きサムネール画像群として閲覧表示する手段とから構成することを特徴とする。
【００１３】
第４の手段は、音声ファイルを管理する管理システムとして、圧縮処理された音声ファイル内に圧縮処理された縮小画像からなる画像データを包含する圧縮画像データ付音声ファイルを格納するサーバと、該サーバからネットワークを介して前記圧縮画像データ付音声ファイルを入力してホームページ上に描画する手段および描画された縮小画像データを一覧表示する手段とを有する圧縮画像データ付音声ファイル管理装置とから構成する。
【００１４】
第５の手段は、入力された映像データを圧縮処理する画像圧縮手段と、入力された音声データを圧縮処理する音声圧縮手段を備えた音声および画像処理装置において、前記圧縮処理された音声データの音声ファイル内に前記圧縮処理された画像データを包含させた圧縮画像データ付音声ファイルを生成する手段を備えることを特徴とする。
【００１５】
第６の手段は、圧縮された画像データを伸長処理する画像データ伸長手段と、圧縮された音声データを伸長処理する音声データ伸長手段と、伸長された画像データと伸長された音声データに基づいて音声付き画像データを表示する閲覧表示手段とを備えた音声および画像信号処理装置において、圧縮処理された音声ファイル内に圧縮処理された画像データを包含させた圧縮画像データ付音声ファイルを入力して、前記圧縮された画像データおよび前記圧縮された音声データとを生成する手段を備えることを特徴とする。
【００１６】
【発明の実施の形態】
本発明の一実施形態を図１乃至図９を用いて説明する。
【００１７】
図１は、本実施形態に係る圧縮画像データ付音声ファイルを生成すると共に、圧縮画像データ付音声ファイルを用いて画像を閲覧する機能を備えた電子スチルカメラ等の音声および画像処理装置の構成を示すブロック図である。
【００１８】
同図において、撮影された被写体像は、レンズ１およびその駆動装置によりＣＣＤ（撮影素子）２上に結像されて画像信号に変換される。撮像プロセス部３は、この画像信号に対してγ補正等の処理を施し、撮像プロセス部３から出力された画像信号は、Ａ／Ｄ変換器４でデジタル信号に変換された後、画像データとしてフレームメモリ５に記録される。フレームメモリ５からは１枚の画面データを随時読み出し、音声・画像圧縮伸長部６により圧縮処理してメモリ７に記憶する。一方、マイク１５より入力された音声データはＡ／Ｄ変換器１４によりＡ／Ｄ変換が施された後、音声・画像圧縮伸長部６により圧縮処理されてメモリ７に記憶される。システムコントローラ１２は、マイコンから構成され、本装置の全体制御を行うもので、シヤッター等のスイッチ１３からの指示信号を受けると、各部に制御信号を送出する。信号処理部１０はシステムコントローラ１２との間で信号の授受を行い、ＣＣＤ２、撮像プロセス部３、Ａ／Ｄ変換器４、フレームメモリ５等に所定の信号を出力する。メモリ７に記憶された音声および画像圧縮データはシステムコントローラ１２により、後述する図２および図３に示す音声ファイルフオーマットに従った画像圧縮データを包含した１つの圧縮画像データ付音声ファイルに形成される。その後、圧縮画像データ付音声ファイルはメモリ７からコネクタ８を介して記憶装置であるメモリカード９に記憶される。
【００１９】
また、再生時は、圧縮画像データ付音声ファイルのデータはメモリカード９からコネクタ８を介してメモリ７に読み出される。メモリ７から読み出された圧縮画像データ付音声ファイルデータは、システムコントーローラ１２により図２および図３の音声ファイルフオーマットに従い、画像圧縮データと音声圧縮データの格納位置が特定される。生成された音声圧縮データと画像圧縮データはそれぞれ音声・画像圧縮伸長部６に転送され伸長処理される。音声・画像圧縮伸長部６から伸長出力された音声データはＤ／Ａ変換器１６によりＤ／Ａ変換された後スピーカ１７等の音声出力手段に送出される。一方、音声・画像圧縮伸長部６から伸長出力された画像データはフレームメモリ５に転送され、フレームメモリ５から読み出された画像伸長データは、Ｄ／Ａ変換器１１によりアナログ信号に変換される。変換されたアナログ映像信号は、システムコントローラ１２で制御される表示部１８に映像信号として出力される。
【００２０】
図２はメモリ７に形成される圧縮画像データ付音声ファイルのファイルフォーマットの一例を示す図であり、図３は図２に示すディスプレイチャンクヘッダー（Ｄｉｓｐ  ｃｈｕｎｋ  Ｈｅａｄｅｒ）内のデータ領域に格納される圧縮画像データとしてのＪＰＥＧサムネールデータ（Ｔｈｕｍｂｎｉｌ  Ｄａｔａ）のファイルフォーマットを示す図である。
【００２１】
図２中の枠内Ａに図３の構成がそっくり入る構成となる。なお、ＪＰＥＧデータの総バイト数が奇数の場合には、ＥＯＦ（０ｘＦＦＤ９）のすぐ後ろに１バイトデータを埋め込むことでＷＡＶファイルとしてトータルのファイルバイト数が偶数になるようにするための手段が備えられている。
【００２２】
図４は、メモリ７に記憶された音声および画像圧縮データから、システムコントローラ１２の制御により、１つの圧縮画像データ付音声ファイルを生成する過程を説明するための図である。
【００２３】
図４（ａ）、（ｂ）は、それぞれメモリ７内に記憶されている内部の状態を示しており、同図の下から上方向にメモリアドレス大きくなっている。
【００２４】
同図において、Ａ＿Ｓは音声圧縮データの格納先頭アドレス、Ａ＿Ｅは音声圧縮データの格納終了アドレス、Ｉ＿Ｓは画像圧縮データの格納先頭アドレス、およびＩ＿Ｅは画像圧縮データの格納終了アドレス、Ｆ＿Ｓは音声ファイル先頭アドレス、Ｆ＿Ｅは音声ファイル終了アドレスである。
【００２５】
次に、撮影終了時における圧縮画像データ付音声ファイルの生成手順、および再生時の画像圧縮データおよび音声圧縮データの生成手順を図４を用いて説明する。
【００２６】
はじめに、圧縮画像データ付音声ファイルの生成は、撮影終了後、音声・画像圧縮伸長部６により生成された音声圧縮データおよび画像圧縮データがメモリ７に図４（ａ）に示す形態で格納される。次に、画像圧縮データのデータサイズ等のへッダ情報を、図２および図３に示した圧縮画像データ付音声ファイルのファイルフォーマットに従って、音声圧縮データの終了位置Ａ＿Ｅを開始位置として位置イに生成する。次に、図４（ａ）に示す圧縮画像データを、先に生成したヘッダ情報の終了位置Ｉ＿Ｓを開始位置として位置ロに移動する。次に、圧縮音声データの開始位置Ａ＿Ｓより前の位置に音声ファイルのファイルサイズ等のヘッダ情報を、図２に示した圧縮画像データ付音声ファイルのファイルフォーマットに従って位置ハに生成する。最後に、音声ファイル先頭アドレスＦ＿Ｓから音声ファイル終了アドレスＦ＿Ｅを出力してメモリカード９に格納する。
【００２７】
また、再生時の画像圧縮データおよび音声圧縮データの生成は、図４（ｂ）の状態で格納されている圧縮画像データ付音声ファイルをメモリカード９から読み出す。次に、音声ファイルヘッダ情報および画像データヘッダ情報を図２および図３に示すファイルフォーマットに従って解読し、音声圧縮データ開始位置Ａ＿Ｓ、音声圧縮データ終了位置Ａ＿Ｅ、画像圧縮データ開始位置Ｉ＿Ｓ、画像圧縮データ終了位置Ｉ＿Ｅを決定する。次に、決定された音声圧縮データ開始位置Ａ＿Ｓ、画像圧縮データ開始位置Ｉ＿Ｓを始点として音声・画像圧縮伸長部６にそれぞれの圧縮データを転送することにより、音声データと同期した画像データの再生が可能となる。
【００２８】
次に、圧縮画像データ付音声ファイル生成装置および圧縮画像データ付音声ファイルを閲覧する圧縮画像データ付音声ファイル管理装置との関連について図５を用いて説明する。
【００２９】
ここで、図５（ａ）は圧縮画像データ付音声ファイル生成機能を有する電子スチルカメラ等の圧縮画像データ付音声ファイル生成装置における各種ファイルに対するフォルダおよびファイル体系を示す図であり、図５（ｂ）は圧縮画像データ付音声ファイル生成装置に接続されたパソコン等の圧縮画像データ付音声ファイル管理装置のソフトウェア構成を示す図である。
【００３０】
図５（ａ）に示すように、圧縮画像データ付音声ファイル生成装置の記憶装置のルートには、ユニークなＩＤを使った“ｄｅｓｋｔｏｐ．ｉｎｉ”を配置し、各種ファイルに対するフオルダの中に“ｄｅｓｋｔｏｐ．ｉｎｉ”およびそのカテゴリーに格納されるフアイル群を保存する。ここでは、システムを認識させる“ｄｅｓｋｔｏｐ．ｉｎｉ”は同一のファイルとし、“ｄｅｓｋｔｏｐ．ｉｎｉ”はシステムが管理するそのファイルに独自の１２８ｂｉｔコードのレジストリ情報を含んだ独自のファイルから構成する。“ｄｅｓｋｔｏｐ．ｉｎｉ”はテキスト記述で下記に示すように定義されている。
【００３１】
［．Ｓｈｅｌｌ  Ｃｌａｓｓ  Ｉｎｆｏ］
ＣＬＳＩＤ２＝｛１Ｅ５２２４１０−５６６Ｄ−１１ｄ３−Ａ６Ｅ１−００８０Ｃ８３Ｅ２５Ｄ１｝
なお、ファイル属性は、隠し（Ｈｉｄｄｅｎ）属性を持たせる必要がある。
【００３２】
一方、圧縮画像データ付音声ファイル管理装置側では、図５（ｂ）に示すソフトウェアに従って処理される。まず、ステップ１では、圧縮画像データ付音声ファイル生成装置からデータが読み込まれる。ステップ２では、読み込まれたドライブまたはフォルダ内に定義した“ｄｅｓｋｔｏｐ．ｉｎｉ”を検出して、ｉｎｉファイルをレジストリ情報に従って解析する。ステップ３では、ｄｅｓｋｔｏｐが定義したｄｅｓｋｔｏｐと一致しているかを判断し、一致していない場合は表示処理は行わない。一致している場合は次の３つの処理が行われる。第１の処理はフォルダアイコンを表示する処理であり、ステップ４において、アプリケーション閲覧ソフトが持っているリソースファイルとそれに適合したレジストリ値に記載した値とが一致したアイコンがあるかを検索する。ステップ５では、検索の結果、それに割り当てられたアイコンが仮想フオルダとしてアプリケーション閲覧ソフトのツリービューに表示される。第２の処理は、ステップ５で生成された仮想フオルダに対し、外部よりフアィルのドラッグインを行った際に、そのフオルダが管理しているフアィルである場合、ステップ６において、そのフオルダ内で定義しているファイル名にリネーム処理する処理である。第３の処理は、ステップ７において、“ｄｅｓｋｔｏｐ．ｉｎｉ”の圧縮画像データ付音声ファイルを読み出し、その中からＤｉｓｐチャンクを見つけ出し、ＪＰＥＧでコード処理を行い、ブラウザ内リストビューにサムネール情報を一覧表示する処理である。
【００３３】
次に、圧縮画像データ付音声ファイル生成装置で生成された圧縮画像データ付音声ファイルのファイル管理装置における閲覧表示処理について図６を用いて説明する。
【００３４】
ここで、図６（ａ）は圧縮画像データ付音声ファイルを生成し記憶する機能を有する電子スチルカメラ等の圧縮画像データ付音声ファイル生成装置を示し、図６（ｂ）は圧縮画像データ付音声ファイル生成装置に接続されたパソコン等の圧縮画像データ付音声ファイル管理装置を示す。
【００３５】
このファイル管理装置は、同図に示すように、圧縮画像データ付音声ファイル生成装置と直接的または通信による間接的な手段によりアクセス可能であり、読み込まれた圧縮画像データ付音声ファイルは所定の処理が施されて閲覧用画面にサムネール画像群からなる縮小ＪＰＥＧ圧縮画像群として表示される。
【００３６】
この縮小ＪＰＥＧ圧縮画像群を閲覧することにより、音声ファイルがどのような時のデータか、また音声ファイルに録音されているアーティストがどのような人であるか等を画像を閲覧することにより容易に判断することができる。
【００３７】
ここで、縮小画像のＪＰＥＧ圧縮画像データの閲覧、音声ファイルを実行するための統合アプリケーションは実質的にはＷｉｎｄｏｗｓ（マイクロソフト社の登録商標で基本オペレーションシステム）のデスクトップを統合化したものを利用する。ファイルが保存されている保存元（内蔵記憶装置、リムーバブル記憶装置）には縮小ＪＰＥＧ圧縮画像データの閲覧時に、瞬時にファイルアクセスできるように、ファイル保存元に特殊なＩＤを記述したファイルを持たせ、前記の統合アプリケーションがそのＩＤを検知すると、図６（ｂ）に示すように、保存元のファイル構造が多階層、単階層にかかわらずアプリケーションのデスクトップの直下に縮小ＪＰＥＧ圧縮画像付音声ファイルの単階層フォルダとして表示する。この特殊フォルダを直接アクセスすることにより、閲覧用画面に縮小されたＪＰＥＧ圧縮画像データ付き音声ファイル内の縮小ＪＰＥＧ圧縮画像群を表示させることができる。なお、アプリケーションからはフオルダとして見たてることにより、ＯＳ管理のＷｉｎｄｏｗｓ  Ｅｘｐｌｏｒｅｒからは見させなくし、矛盾を生じさせないという効果を持たせることができる。
【００３８】
縮小ＪＰＥＧ圧縮画像群の閲覧用画面ヘの描画方法は、ファイル管理装置のデータ記憶装置に、圧縮画像データ付音声ファイルが図４（ｂ）に示す状態で格納されているので、音声ファイルヘッダ情報および画像データヘッダ情報を、図２および図３のファイルフォーマットに従って解読し、画像圧縮データ開始位置Ｉ＿Ｓ、画像圧縮データ終了位置Ｉ＿Ｅを決定し、決定された画像圧縮データ開始位置Ｉ＿Ｓを始点として画像データ伸長処理ファイルにデータを渡し、閲覧用画面に描画する。
【００３９】
次に、図６と異なる形態で、圧縮画像データ付音声ファイルを閲覧表示する場合について図７を用いて説明する。
【００４０】
ここで、図７（ａ）は生成された圧縮画像データ付音声ファイルを格納しているネットワーク上に接続されたサーバのホームページ用ファイル構造を示し、図７（ｂ）は圧縮画像データ付音声ファイルデータをネットワークを介して入力されるパソコン等からなる圧縮画像データ付音声ファイル管理装置を示す。
【００４１】
一般的にホームページ管理用サーバのファイル構成は、図７（ａ）に示すように、ルートフォルダの下に多階層フォルダ構造となっている。その中に、圧縮画像データ付音声ファイルを専用または共用フォルダの中に格納し、ファイル管理装置側では、図７（ｂ）に示すように、ＨＴＭＬファイル内でリンクをかけ、ブラウザの中でその映像部分のデータを閲覧できるように専用のプラグインモジュールを開発して提供することにより、圧縮画像データ付音声ファイルを活用することができる。
【００４２】
なお、マイクロソフト社が開発したＩｎｔｒｅｎｅｔ  Ｅｘｐｌｏｒｅｒのプラグインの場合は、図８に示すフォルダ内に専用のプラグインファイルをコピーすることにより、Ｉｎｔｅｒｎｅｔ  Ｅｘｐｌｏｒｅｒとの連携が可能となる。他の実装方法としては、図９に示すようにＣＯＭ（Ｃｏｍｐｏｎｅｔ  Ｏｂｊｅｃｔ  Ｍｏｄｅｌ）を使った方法でもよく、この場合も専用のプラグインファイルが必要となる。
【００４３】
【発明の効果】
前記第１と第２の手段によれば、ファイルフオーマットに関してはファイルサイズを最小限に押さえることができ、また、ファイルが圧縮形式で構成されるので、パソコン内や組み込み機器内で用いた場合には、データを処理する際にバスがオーバーロードすることがなく、またインターネット等において伝送容量の小さい回線で送っても、ファイル容量が小さく抑えられるので、容易に転送することが可能となる。
【００４４】
前記第３の手段によれば、本発明に係る圧縮画像データ付音声ファイルをこの音声ファイルを生成した装置から入力して、ファイル管理装置において、容易に縮小化された音声付き画像を一覧表示させることができる。
【００４５】
前記第４の手段によれば、インターネットホームページサーバーにおいて、本発明に係る圧縮画像データ付音声ファイルをファイル管理させることにより、ファイル管理に要する記憶容量を低減することができると共に、インターネットブラウザ等を利用して、容易にこの圧縮画像データ付音声ファイルにアクセスすることが可能となる。
【００４６】
前記第５の手段によれば、電子スチルカメラ等の音声および画像処理装置において、取り込まれた音声データおよび画像データを用いて、容易に圧縮画像データ付音声ファイルを得ることができる。
【００４７】
前記第６の手段によれば、電子スチルカメラ等の音声および画像処理装置において、入力された圧縮画像データ付音声ファイルを用いて、容易に音声付き画像を閲覧表示させることができ、音声録音時の撮影シーン等を容易に把握することが可能となる。
【図面の簡単な説明】
【図１】本発明の一実施形態に係る圧縮画像データ付音声ファイルを生成すると共に、圧縮画像データ付音声ファイルを用いて画像を閲覧する機能を備える電子スチルカメラ等の音声および画像処理装置の構成を示すブロック図である。
【図２】図１に示すメモリ７に形成された圧縮画像データ付音声ファイルフォーマットの一例を示す図である。
【図３】図２に示すディスプレイチャンクヘッダー（Ｄｉｓｐ  ｃｈｕｎｋ  Ｈｅａｄｅｒ）内のデータ領域に格納される圧縮画像データとしてのＪＰＥＧサムネールデータ（Ｔｈｕｍｂｎｉｌ  Ｄａｔａ）のファイルフォーマットを示す図である。
【図４】図２に示すメモリ７に記憶された音声および画像圧縮データから、システムコントローラ１２の制御により、１つの圧縮画像データ付音声ファイルを生成する過程を説明するための図である。
【図５】圧縮画像データ付音声ファイル生成装置および圧縮画像データ付音声ファイルを記憶し閲覧する圧縮画像データ付音声ファイル管理装置との関連を説明するための図である。
【図６】圧縮画像データ付音声ファイル生成装置で生成された圧縮画像データ付音声ファイルのファイル管理装置における閲覧表示処理を説明するための図である。
【図７】圧縮画像データ付音声ファイルの管理システムにおける閲覧表示処理を説明するための図である。
【図８】プラグインモジュールを使用した記述例を示す図である。
【図９】ＣＯＭオブジェクトを使用した記述例を示す図である。
【符号の説明】
１  レンズ
２  ＣＣＤ
３  撮像プロセス部
４，１４  Ａ／Ｄ変換器
５  フレームメモリ
６  音声・画像圧縮伸長部
７  メモリ
８  コネクタ
９  メモリカード
１０  信号処理部
１１，１６  Ｄ／Ａ変換器
１２  システムコントローラ
１３  スイッチ
１５  マイク
１７  スピーカ
１８  表示部
【図１】
0003558577.tif 000002
【図２】
0003558577.tif 000003
【図３】
0003558577.tif 000004
【図４】
0003558577.tif 000005
【図５】
0003558577.tif 000006
【図６】
0003558577.tif 000007
【図７】
0003558577.tif 000008
【図８】
0003558577.tif 000009
【図９】
0003558577.tif 000010